(57)【要約】【課題】  食品の包装等に使用される合成樹脂フィルム，金属箔，紙材等のラップフィルムがロール状に巻回されたラップフィルムロールを交換可能に収納するラップフィルム収納ケースについて、ラップフィルムの切断性能を低下させることなく使用の安全性を高める。【解決手段】  ラップフィルムＲａがロール状に巻回されたラップフィルムロールＲを内部に収納する開閉可能なケーシング２の開閉自由端である蓋部２２の切断刃取付片２２ｂにラップフィルムＲａを切断する切断刃６が取付けられている。切断刃６は、ケーシング２の蓋部２２の切断刃取付片２２ｂから突出しないように取付けられている。ケーシング２の蓋部２２の切断刃取付片２２ｂは外側面から切断刃６が当接されている内側面に向けて切断刃６の基部方向へ傾斜したテーパ面２２ｄが形成されている。【選択図】        図１
2010042815.tif 000002
【特許請求の範囲】
【請求項１】
ラップフィルムがロール状に巻回されたラップフィルムロールを内部に収納する開閉可能なケーシングの開閉自由端付近にラップフィルムを切断する切断刃が取付けられたラップフィルム収納ケースにおいて、切断刃はケーシングの開閉自由端から突出しないように取付けられ、ケーシングの開閉自由端は外側面から切断刃が当接されている内側面に向けて切断刃の基部方向へ傾斜したテーパ面が形成されていることを特徴とするラップフィルム収納ケース。
【請求項２】
請求項１のラップフィルム収納ケースにおいて、ケーシングは箱形の本体部と本体部に被せられる板形の蓋部とからなり、ケーシングの蓋部は開閉自由端に屈曲されて本体部の外側面に当接される切断刃取付片が設けられていることを特徴とするラップフィルム収納ケース。
【請求項３】
請求項２のラップフィルム収納ケースにおいて、ケーシングの本体部と蓋部の開閉基端とはシート状のヒンジで連結され、ケーシングの本体部，蓋部，ヒンジは防水性を有していることを特徴とするラップフィルム収納ケース。
【請求項４】
請求項１〜３のいずれかのラップフィルム収納ケースにおいて、切断刃はケーシングに粘着テープで着脱可能に取付けられていることを特徴とするラップフィルム収納ケース。
【発明の詳細な説明】
【技術分野】
【０００１】
本発明は、食品の包装等に使用される合成樹脂フィルム，金属箔，紙材等のラップフィルムがロール状に巻回されたラップフィルムロールを交換可能に収納するラップフィルム収納ケースに係る技術分野に属する。
【背景技術】
【０００２】
最近、食品衛生についての関心の高まりから、ラップフィルムの使用量が著しく増大している。これに伴って、ラップフィルムロールを収納した使捨ての収納ケース（通常、紙のケーシングと金属材，合成樹脂材の切断刃とからなる。）の大量廃棄が環境問題を引起こすようになってきている。このため、ラップフィルムロールを補充収納して使捨てを避けることのできる収納ケースの開発が要望されている。
【０００３】
従来、ラップフィルムロールを補充収納して使捨てを避けることを指向した技術としては、例えば、以下に記載のものが知られている。
【特許文献１】特許第４０５４７７４号公報  特許文献１には、ラップフィルムがロール状に巻回されたラップフィルムロールを内部に収納する開閉可能なケーシングの開閉自由端付近にラップフィルムを切断する切断刃が取付けられたラップフィルム収納ケースが記載されている。
【０００４】
特許文献１に係るラップフィルム収納ケースは、使捨ての収納ケースなしで提供されたラップフィルムロールをケーシングの内部に収納してラップフィルムの繰出しを可能にするものである。そして、ケーシングを閉鎖状態として切断刃をラップフィルムに当接させることで、外部に必要長が引出されたラップフィルムを切断するものである。
【発明の開示】
【発明が解決しようとする課題】
【０００５】
特許文献１に係るラップフィルム収納ケースでは、切断刃がケーシングの取付部分である開閉自由端から突出しているため、使用中に手指を傷付けることがあって危険であるという問題点がある。
【０００６】
この問題点を解消するには、切断刃をケーシングの開閉自由端から突出しないようにすることが想到される。然しながら、切断刃をケーシングの開閉自由端から突出しないようにすると、切断の際にラップフィルムが切断刃とケーシングの開閉自由端の双方に同時的に当接されてしまい、ラップフィルムが切断されにくくなるという新たな問題点が生じてしまう。
【０００７】
本発明は、このような問題点を考慮してなされたもので、ラップフィルムの切断性能を低下させることなく使用の安全性を高めたラップフィルム収納ケースを提供することを課題とする。
【課題を解決するための手段】
【０００８】
前述の課題を解決するため、本発明に係るラップフィルム収納ケースは、特許請求の範囲の各請求項に記載の手段を採用する。
【０００９】
即ち、請求項１では、ラップフィルムがロール状に巻回されたラップフィルムロールを内部に収納する開閉可能なケーシングの開閉自由端付近にラップフィルムを切断する切断刃が取付けられたラップフィルム収納ケースにおいて、切断刃はケーシングの開閉自由端から突出しないように取付けられ、ケーシングの開閉自由端は外側面から切断刃が当接されている内側面に向けて切断刃の基部方向へ傾斜したテーパ面が形成されていることを特徴とする。
【００１０】
この手段では、切断刃をケーシングの開閉自由端から突出しないように取付けることで、使用中に手指を傷付けることがないようにする。また、ケーシングの開閉自由端にテーパ面を形成することで、切断の際のラップフィルムの開閉自由端への当接面積を減少させる。
【００１１】
また、請求項２では、請求項１のラップフィルム収納ケースにおいて、ケーシングは箱形の本体部と本体部に被せられる板形の蓋部とからなり、ケーシングの蓋部は開閉自由端に屈曲されて本体部の外側面に当接される切断刃取付片が設けられていることを特徴とする。
【００１２】
この手段では、ケーシングが箱形の本体部と板形の蓋部とからなる簡素な構造とされ、ケーシングの蓋部に切断刃が取付けられる切断刃取付片が設けられる。
【００１３】
また、請求項３では、請求項２のラップフィルム収納ケースにおいて、ケーシングの本体部と蓋部の開閉基端とはシート状のヒンジで連結され、ケーシングの本体部，蓋部，ヒンジは防水性を有していることを特徴とする。
【００１４】
この手段では、ラップフィルムロールを覆うことになるケーシングの全体が防水される。
【００１５】
また、請求項４では、請求項１〜３のいずれかのラップフィルム収納ケースにおいて、切断刃はケーシングに粘着テープで着脱可能に取付けられていることを特徴とする。
【００１６】
この手段では、必要に応じて粘着テープを剥がして切断刃を交換することができる。
【発明の効果】
【００１７】
本発明に係るラップフィルム収納ケースは、切断刃をケーシングの開閉自由端から突出しないように取付けることで、使用中に手指を傷付けることがないようにするため、使用の安全性が高くなる効果がある。また、ケーシングの開閉自由端にテーパ面を形成することで、切断の際のラップフィルムの開閉自由端への当接面積を減少させるため、ラップフィルムの切断性能が低下しない効果がある。
【００１８】
さらに、請求項２として、ケーシングが箱形の本体部と板形の蓋部とからなる簡素な構造とされ、ケーシングの蓋部に切断刃を簡単に取付けることのできる切断刃取付片が設けられるため、製造コストが低くなる効果がある。
【００１９】
さらに、請求項３として、ラップフィルムロールを覆うことになるケーシングの全体が防水されるため、台所等の水まわりでの使用に好適となる効果がある。
【００２０】
さらに、請求項４として、必要に応じて粘着テープを剥がして切断刃を交換することができるため、摩耗等で切断性能の低下した切断刃を交換することで長期の使用が可能になるとともに、ラップフィルムの材質に対応した切断形状の切断刃に交換することで対象となるラップフィルムの選択幅を拡大することができる効果がある。
【発明を実施するための最良の形態】
【００２１】
以下、本発明に係るラップフィルム収納ケースを実施するための最良の形態を図面に基づいて説明する。
【００２２】
この形態では、一般家庭用として手持ちで使用されるタイプに適用されるものを示してある。また、ラップフィルムロールＲとして、ラップフィルムＲａが円筒形の中芯筒Ｒｂにロール状に巻回されたものが対象とされている。
【００２３】
この形態は、図１に示すように、芯部材１，ケーシング２，軸部３，軸穴４，ガイド溝５，切断刃６の各部を主要部として構成されている。
【００２４】
芯部材１は、ラップフィルムロールＲの中芯筒Ｒｂに挿入されるもので、断面がほぼ十字形の挿入枠１１と挿入枠１１の両端部に設けられた円板形のフランジ１２，１３とが合成樹脂材で一体成形されている。挿入枠１１は、十字形に交差している１つの板片１１ａがラップフィルムロールＲの中芯筒Ｒｂの内径とほぼ一致する幅の細長板形に形成され、十字形に交差している他の１つの板片１１ｂが板バネ形のバネ片が長さ方向に連続してラップフィルムロールＲの中芯筒Ｒｂの内径よりもわずかに大きな幅のバネ板形に形成されている。１つのフランジ１２は、外径がラップフィルムロールＲの中芯筒Ｒｂの内径とほぼ一致するように形成されている。他の１つのフランジ１３は、外径がラップフィルムロールＲの中芯筒Ｒｂの内径よりも大きく形成されている。
【００２５】
ケーシング２は、芯部材１が挿入されたラップフィルムロールＲを内部に収納してラップフィルムＲａを繰出し可能にするもので、箱形の本体部２１と板形の蓋部２２とシート状のヒンジ２３と薄板状の吸着板２４とからなる。本体部２１，蓋部２２の材料としては、軽量で防水性のある合成樹脂材である低発泡塩化ビニル板（例えば、アクリサンデー（株）の商品名「ＦＯＲＥＸ」が好適）が選択される。ヒンジ２３の材料としては、折曲げ反復耐性に優れ防水性のある合成樹脂材であるポリプロピレンシート（例えば、アクリサンデー（株）の商品名「ＰＰクラフトシート」が好適）が選択される。吸着板２４の材料としては、ラップフィルムロールＲのラップフィルムＲａが吸着する特性を有する合成樹脂材（例えば、筒中プラスチック工業（株）の商品名「サンロイドユニ」が好適）が選択される。本体部２１は、１つの底面２１ａと２つの相対するほぼ正方形の側面２１ｂと２つの相対する長方形の側面２１ｃとで囲まれた一面開放形の箱形に形成されている。本体部２１の１つの長方形の側面２１ｃの上端部には、細幅のヒンジ取付溝２１ｄが設けられている。蓋部２２は、本体部２１の側面２１ｂ，２１ｃの端面を含む開口面の全体を覆う大きさに形成された蓋本体２２ａの開閉自由端となる１つの長手辺に沿って９０度に屈曲され本体部２１の１つの長方形の側面２１ｃの外側面に当接される切断刃取付片２２ｂが設けられ、蓋本体２２ａの開閉基端となる内側面の他の１つの長手辺に沿って細幅のヒンジ取付溝２２ｃが設けられている。切断刃取付片２２ｂには、後に詳述するように、差込溝２２ｄ，テーパ面２２ｅが設けられている。ヒンジ２３は、本体部２１のヒンジ取付溝２１ｄと蓋部２２のヒンジ取付溝２２ｃとに展開された状態で熱溶着，接着材塗布等により貼着されている。吸着板２４は、本体部２１の１つの長方形の側面２１ｃの内側面（細幅の一部），端面，外側面（細幅の一部）にコ字形に屈曲されて熱溶着，接着材塗布等により貼着されている。
【００２６】
軸部３は、芯部材１（ラップフィルムロールＲ）の回転中心となるもので、芯部材１のフランジ１２，１３の中心に軸方向の外側に突出するようにそれぞれ取付けられた小円柱形のマグネットからなる。この軸部３は、例えば、円形の端面（表面）側がＮ極に着磁されている。
【００２７】
軸穴４は、軸部３を軸受けするもので、ケーシング２の本体部２１のほぼ正方形の側面２１ｂの中心に堀込まれ軸部３の周面と当接する小半円形の軸受溝４１の底部分に軸部３の端面と当接する小円柱形のマグネットの軸吸着体４２が埋込まれている。軸吸着体４２は、例えば、円形の表面側がＳ極に着磁されている。
【００２８】
ガイド溝５は、軸部３をスライドさせて軸穴４に案内するもので、ケーシング２の本体部２１のほぼ正方形の側面２１ｂに軸穴４の軸受溝４１から開口面となっている端面に連通するように堀込まれている。このガイド溝５は、幅が軸部３の径とほぼ一致され、深さが軸穴４の軸受溝４１と一致している。
【００２９】
切断刃６は、ラップフィルムロールＲから引出されたラップフィルムＲａを切断するもので、金属材，合成樹脂材の板材６１の先端部に微小な山谷の歯６２が連続する長方形の板刃に形成されている。この切断刃６は、図２，図６，図７に示すように、ケーシング２の蓋部２２の切断刃取付片２２ｂにスリット形に堀込まれた差込溝２２ｄに差込み固定されるが、切断刃取付片２２ｂの先端部よりも少しの間隔ａだけ歯６２を後退させてある。即ち、切断刃６の歯６２の先端は、ケーシング２の蓋部２２の切断刃取付片２２ｂの先端よりも突出しないように設定されている。なお、ケーシング２の蓋部２２の切断刃取付片２２ｂに形成されたテーパ面２２ｅは、外側面から切断刃６が固定されている側に向けて切断刃６の基部方向へ傾斜され、切断刃６側のテーパ端が切断刃６の歯６２よりも基部側に位置している。また、好ましくは、ケーシング２の蓋部２２の切断刃取付片２２ｂの厚さｂを切断刃６の厚さよりも充分に確保して、テーパ面２２ｅを広く確保する。
【００３０】
この形態によると、ケーシング２が箱形の本体部２１と板形の蓋部２２との簡素な構造からなるため、ケーシング２をラップフィルムロールＲの補充収納を容易にするために多分割構造等とする場合に比して製造コストが低くなる。
【００３１】
この形態を使用するには、図３に示すように、芯部材１を径の小さなフランジ１２側からラップフィルムロールＲの中芯筒Ｒｂに挿入する。このとき、芯部材１の挿入枠１１のバネ板形の板片１１ｂは、挿入抵抗によって弾性変形してラップフィルムロールＲの中芯筒Ｒｂを無用に押圧，損傷することなく芯部材１を挿入させる。従って、ラップフィルムロールＲが中芯筒ＲｂなしでラップフィルムＲａが巻回されたものであっても、ラップフィルムＲａを損傷することなく挿入が可能である。芯部材１の挿入は、芯部材１の径の大きなフランジ１３のラップフィルムロールＲの中芯筒Ｒｂへの当接によって停止される。芯部材１の挿入の後には、ラップフィルムロールＲの中芯筒Ｒｂの形状が芯部材１の十字形の挿入枠１１によって保形される。
【００３２】
次ぎに、図４，図５，図６に示すように、芯部材１が挿入されたラップフィルムロールＲを開蓋されたケーシング２の開放面側から内部に収納する。このとき、軸部３をガイド溝５にスライドさせることで、軸部３をスムースに軸穴４まで移動させることができる。即ち、ケーシング２を多分割構造等ではない箱形の本体部２１と板形の蓋部２２との簡素な構造としているにもかかわらず、支障なくラップフィルムロールＲの補充収納することができる。特に、ガイド溝５の深さと軸穴４の軸受溝４１の深さとが一致しているため、スライドする軸部３がガイド溝５を押圧するのを回避することができる。このため、軸部３，ガイド溝５の摩耗，損傷が防止されて耐久性が高くなる。軸穴４まで軸部３が移動されると、軸部３が軸穴４に軸受けされ、ラップフィルムロールＲがケーシング２の内部に回転可能に収納されたことになる。
【００３３】
この後、図７に示すように、ラップフィルムロールＲから適当長のラップフィルムＲａを繰出して、ケーシング２を閉蓋する。ケーシング２が閉蓋されると、繰出されたラップフィルムロールＲのラップフィルムＲａが蓋部２２の切断刃取付片２２ｂによって吸着板２４に押付けられて吸着される。この結果、繰出されたラップフィルムロールＲのラップフィルムＲａが不測に巻戻されることがなくなる。また、ケーシング２の蓋部２２の切断刃取付片２２ｂが本体部２１の１つの長方形の側面２１ｃの外側面に圧接状態で当接されるため、蓋部２２の閉蓋状態が保持される。
【００３４】
ラップフィルムロールＲから繰出されたラップフィルムＲａの切断では、切断刃６がケーシング２の蓋部２２の切断刃取付片２２ｂに隠された格好となっているため、手指を傷付けるようなことはない。また、ラップフィルムロールＲから繰出されたラップフィルムＲａが切断刃６の歯６２に当接する際には、図７に示すように、ケーシング２の蓋部２２の切断刃取付片２２ｂのテーパ面２２ｅの先端に線状に当接するのみであるため、切断刃６の歯６２に影響が及ぶことはない。また、ケーシング２の蓋部２２の切断刃取付片２２ｂのテーパ面２２ｅの切断刃６側のテーパ端が切断刃６の歯６２よりも基部側に位置しているため、切断されたラップフィルムＲａが垂れてテーパ面２２ｅに接着するようなことはない。
【００３５】
図７に示すようなラップフィルムロールＲの収納状態では、ラップフィルムロールＲが防水性のケーシング２によって完全に包囲されていることになる。従って、台所等の水まわりでの使用に好適となる。
【００３６】
また、図７に示すようなラップフィルムロールＲの収納状態では、軸部３，軸穴４の軸吸着体４２が互いに吸着されている。従って、微細な係合構造を軸部３周り，軸穴４周りに設けなくても、ラップフィルムロールＲのラップフィルムＲａの繰出し等の際に芯部材１（ラップフィルムロールＲ）の空回りを阻止することができる。この結果、構造が簡素化されて製造コストが低くなる。
【００３７】
なお、ラップフィルムロールＲのラップフィルムＲａが繰出し尽くした場合には、ケーシング２を開蓋して、芯部材１（ラップフィルムロールＲの中芯筒Ｒｂ）を前述の逆の動作で取出すことになる。そして、芯部材１を新たなラップフィルムロールＲの中芯筒Ｒｂに挿入する。
【００３８】
以上、図示した形態の外に、切断刃６として他の構造のもを選択することもできる。
【００３９】
さらに、切断刃６の歯６２の先端をケーシング２の蓋部２２の切断刃取付片２２ｂのテーパ面２２ｅの先端と揃う程度まで突出させることも可能である。
【００４０】
さらに、ケーシング２のヒンジ２３を他の構造のものとすることも可能である。
【００４１】
さらに、軸部３と軸穴４の軸吸着体４２との一方のみをマグネットとし他方をマグネットに吸着される鉄材等とすることも可能である。また、軸部３と軸穴４の軸吸着体４２との一部のみをマグネット，鉄材等とすることも可能である。
【００４２】
さらに、切断刃６をケーシング２の蓋部２２の屈曲片２２ｂに粘着テープで取付けることも可能である。この形態によると、必要に応じて粘着テープを剥がして切断刃を交換することができる。
【産業上の利用可能性】
【００４３】
本発明に係るラップフィルム収納ケースは、業務用の大型のものや壁面，卓上に設置して使用するもの等にも適用することが可能である。
【図面の簡単な説明】
【００４４】
【図１】本発明に係るラップフィルム収納ケースを実施するための最良の形態の斜視図である。
【図２】図１の要部の斜視図である。
【図３】図１のラップフィルムロールへの挿入状態の斜視図である。
【図４】図１のラップフィルムロールの収納状態図である。
【図５】図４の縦断面図である。
【図６】図５の縦断面図である。
【図７】図６の閉蓋状態図である。
【符号の説明】
【００４５】
１            芯部材
２            ケーシング
２２          蓋部
２２ｂ        切断刃取付片（開閉自由端）
２２ｅ        テーパ面
３            軸部
４            軸穴
５            ガイド溝
６            切断刃
Ｒ            ラップフィルムロール
Ｒａ          ラップフィルム
Ｒｂ          中芯筒
【図１】
2010042815.tif 000003
【図２】
2010042815.tif 000004
【図３】
2010042815.tif 000005
【図４】
2010042815.tif 000006
【図５】
2010042815.tif 000007
【図６】
2010042815.tif 000008
【図７】
2010042815.tif 000009